(57)【特許請求の範囲】
【請求項１】
第１の筒と、
前記第１の筒の周方向に沿って回転可能な円環部と、前記円環部から前記第１の筒の中心軸に平行な第１方向に突き出した第１の突起部とが設けられた回転部材と、
前記第１の筒の径方向に対向して配置された発光部と受光部とを有し、前記第１の突起部が前記発光部と前記受光部との間を通過することにより、前記回転部材の前記第１の筒に対する回転を検出する位置検出部と、
前記第１方向と平行な方向に延び、前記第１の筒の内部に配置された第１の筒状部材と、前記第１の筒状部材から前記第１の筒に設けられた第１の開口部を通して径方向外側に突出する第２の突起部とを有する第２の筒と、
を備え、
前記第１方向と反対の第２方向側の前記回転部材の端部は、前記第１の筒の前記第２方向側の端部よりも前記第２方向側にあり、
前記第１の筒は、
前記第２方向側に設けられた、外側に張り出すとともに第２の開口部が設けられたフランジ部と、
前記第２の開口部から連続して外周面に沿って延びる第１部分、及び、前記第１部分の先端において周方向の幅が前記第１部分より広い第２部分を有する凹部と、を備え、
更に、前記回転部材を挟んで前記第１の筒の前記第２方向側に配置された円環部材で、前記第１の筒側に延びる一対の係合部が設けられ、前記一対の係合部は、それぞれが先端に爪部を有し、前記爪部は前記第２部分に係合されて、前記第１の筒に対して光軸方向に移動不能に固定されることにより、前記回転部材を前記第１の筒に保持する押さえ部材を備えるレンズ鏡筒。
【請求項２】
第１の筒と、
前記第１の筒の周方向に沿って回転可能な円環部と、前記円環部に接続され、前記第１の筒の中心軸に平行な第１方向に突き出る第１の突起部とが設けられた回転部材と、
前記第１の筒の径方向に対向して配置された発光部と受光部とを有し、前記第１の突起部が前記発光部と前記受光部との間を通過することにより、前記回転部材の前記第１の筒に対する回転を検出する位置検出部と、
前記第１方向と平行な方向に延び、前記第１の筒の内部に配置された第１の筒状部材と、
前記第１の筒状部材から前記第１の筒に設けられた第１の開口部を通して径方向外側に突出する第２の突起部を有する第２の筒と、
を備え、
前記位置検出部は、前記第１の筒の前記第１方向と反対の第２方向側の端部に配置され、
前記第１の筒は、
前記第２方向側に設けられた、外側に張り出すとともに第２の開口部が設けられたフランジ部と、
前記第２の開口部から連続して外周面に沿って延びる第１部分、及び、前記第１部分の先端において周方向の幅が前記第１部分より広い第２部分を有する凹部と、を備え、
更に、前記回転部材を挟んで前記第１の筒の前記第２方向側に配置された円環部材で、前記第１の筒側に延びる一対の係合部が設けられ、前記一対の係合部は、それぞれが先端に爪部を有し、前記爪部は前記第２部分に係合されて、前記第１の筒に対して光軸方向に移動不能に固定されることにより、前記回転部材を前記第１の筒に保持する押さえ部材を備えるレンズ鏡筒。
【請求項３】
第１の筒と、
前記第１の筒の周方向に沿って回転可能な円環部と、前記円環部から前記第１の筒の中心軸に平行な第１方向に突き出る第１の突起部とが設けられた回転部材と、
前記第１の筒の径方向に対向して配置された発光部と受光部とを有し、前記第１の突起部が前記発光部と前記受光部との間を通過することにより、前記回転部材の前記第１の筒に対する回転を検出する位置検出部と、
前記第１方向と平行な方向に延び、前記第１の筒の内部に配置された第１の筒状部材と、
前記第１の筒状部材から前記第１の筒に設けられた開口部を通して径方向外側に突出する第２の突起部を有する第２の筒と、
前記第２の突起部と嵌合する溝が設けられた、前記第１の筒の中心軸に平行な方向に延びる第２の筒状部材を有し、前記第１の筒の外側に配置される第３の筒と、
を備えるレンズ鏡筒。
【請求項４】
請求項１〜３のいずれか１項に記載のレンズ鏡筒であって、
前記第２の筒において、前記第１の筒状部材と前記第２の突起部とが一体成形されているレンズ鏡筒。
【請求項５】
請求項１又は２に記載のレンズ鏡筒であって、
前記第１の筒は、前記第１の筒の中心軸上の前記第２の筒の前記第２の突起部が配置される位置よりも第２方向側に、外周側に張り出したフランジ部を有し、
前記フランジ部には、前記第２の突起部が通過可能な第２の開口部が設けられ、前記第２の開口部と前記第１の開口部とが繋がっている、レンズ鏡筒。
【請求項６】
請求項１〜５のいずれか一項に記載のレンズ鏡筒であって、
前記回転部材の中心軸、前記第２の筒の中心軸及び前記第１の筒の中心軸が一致するように、前記回転部材、前記第１の筒及び第２の筒は配置され、
前記第２の突起部の先端の位置の前記第１の筒の中心軸からの距離は、前記回転部材の第１の突起部がある位置の前記第１の筒の中心軸からの距離よりも大きい、レンズ鏡筒。
【請求項７】
請求項１〜５のいずれか１項に記載のレンズ鏡筒であって、
前記レンズ鏡筒は、更に、
前記回転部材の少なくとも一部を前記第１の筒と挟んで配置される第２の円環部、及び前記第２の円環部から前記第１方向に延びた前記第１の筒と嵌り合う部分を備える円環部材を備えるレンズ鏡筒。
【請求項８】
請求項１〜７のいずれか１項に記載のレンズ鏡筒を備える光学機器。
【発明の詳細な説明】
【技術分野】
【０００１】
本発明は、レンズ鏡筒及び光学機器に関するものである。
【背景技術】
【０００２】
近年のレンズ交換式のカメラにおける交換レンズは、オートフォーカスに対応したものがほとんどであるが、撮影者の操作により焦点合わせを行うマニュアルフォーカスにも対応することが要望される。
このような課題に対して、特許文献１に記載されているような交換レンズが提案されている。特許文献１の交換レンズでは、マニュアルフォーカス用のＭＦリングが交換レンズの外周に設けられており、撮影者によりＭＦリングが回転操作されると、その回転方向、回転量を検出し、その検出結果に基づいて、フォーカスレンズを駆動制御している。
【先行技術文献】
【特許文献】
【０００３】
【特許文献１】特開２０１３−１３４４０８号公報
【発明の概要】
【０００４】
本発明の一態様は、第１の筒と、前記第１の筒の周方向に沿って回転可能な円環部と、前記円環部から前記第１の筒の中心軸に平行な第１方向に突き出した第１の突起部とが設けられた回転部材と、前記第１の筒の径方向に対向して配置された発光部と受光部とを有し、前記第１の突起部が前記発光部と前記受光部との間を通過することにより、前記回転部材の前記第１の筒に対する回転を検出する位置検出部と、前記第１方向と平行な方向に延び、前記第１の筒の内部に配置された第１の筒状部材と、前記第１の筒状部材から前記第１の筒に設けられた第１の開口部を通して径方向外側に突出する第２の突起部とを有する第２の筒と、を備え、前記第１方向と反対の第２方向側の前記回転部材の端部は、前記第１の筒の前記第２方向側の端部よりも前記第２方向側にあり、前記第１の筒は、前記第２方向側に設けられた、外側に張り出すとともに第２の開口部が設けられたフランジ部と、前記第２の開口部から連続して外周面に沿って延びる第１部分、及び、前記第１部分の先端において周方向の幅が前記第１部分より広い第２部分を有する凹部と、を備え、更に、前記回転部材を挟んで前記第１の筒の前記第２方向側に配置された円環部材で、前記第１の筒側に延びる一対の係合部が設けられ、前記一対の係合部は、それぞれが先端に爪部を有し、前記爪部は前記第２部分に係合されて、前記第１の筒に対して光軸方向に移動不能に固定されることにより、前記回転部材を前記第１の筒に保持する押さえ部材を備えるレンズ鏡筒である。
本発明の他の一態様は、第１の筒と、前記第１の筒の周方向に沿って回転可能な円環部と、前記円環部に接続され、前記第１の筒の中心軸に平行な第１方向に突き出る第１の突起部とが設けられた回転部材と、前記第１の筒の径方向に対向して配置された発光部と受光部とを有し、前記第１の突起部が前記発光部と前記受光部との間を通過することにより、前記回転部材の前記第１の筒に対する回転を検出する位置検出部と、前記第１方向と平行な方向に延び、前記第１の筒の内部に配置された第１の筒状部材と、前記第１の筒状部材から前記第１の筒に設けられた第１の開口部を通して径方向外側に突出する第２の突起部を有する第２の筒と、を備え、前記位置検出部は、前記第１の筒の前記第１方向と反対の第２方向側の端部に配置され、前記第１の筒は、前記第２方向側に設けられた、外側に張り出すとともに第２の開口部が設けられたフランジ部と、前記第２の開口部から連続して外周面に沿って延びる第１部分、及び、前記第１部分の先端において周方向の幅が前記第１部分より広い第２部分を有する凹部と、を備え、更に、前記回転部材を挟んで前記第１の筒の前記第２方向側に配置された円環部材で、前記第１の筒側に延びる一対の係合部が設けられ、前記一対の係合部は、それぞれが先端に爪部を有し、前記爪部は前記第２部分に係合されて、前記第１の筒に対して光軸方向に移動不能に固定されることにより、前記回転部材を前記第１の筒に保持する押さえ部材を備えるレンズ鏡筒である。
本発明の更に他の一態様は、第１の筒と、前記第１の筒の周方向に沿って回転可能な円環部と、前記円環部から前記第１の筒の中心軸に平行な第１方向に突き出る第１の突起部とが設けられた回転部材と、前記第１の筒の径方向に対向して配置された発光部と受光部とを有し、前記第１の突起部が前記発光部と前記受光部との間を通過することにより、前記回転部材の前記第１の筒に対する回転を検出する位置検出部と、前記第１方向と平行な方向に延び、前記第１の筒の内部に配置された第１の筒状部材と、前記第１の筒状部材から前記第１の筒に設けられた開口部を通して径方向外側に突出する第２の突起部を有する第２の筒と、前記第２の突起部と嵌合する溝が設けられた、前記第１の筒の中心軸に平行な方向に延びる第２の筒状部材を有し、前記第１の筒の外側に配置される第３の筒と、
を備えるレンズ鏡筒である。
本発明の別の一態様は、上記レンズ鏡筒を備える光学機器である。
【図面の簡単な説明】
【０００５】
【図１】レンズ鏡筒１の断面図である。
【図２】レンズ鏡筒１の要部の分解斜視図である。
【図３】固定筒３１のフランジ部３６と、５群カムフォロア４５ａとの関係を示す図である。
【図４】固定筒３１のフランジ部３６と、移動筒カムフォロア６１との関係を示す図である。
【図５】レンズ鏡筒１のＭＦ環７０部分の拡大図である。
【図６】レンズ鏡筒１のＭＦ環７０部分の拡大図であって、後述のＭＦ環押さえ部が取り付けられていない状態を示す。
【図７】ＭＦ押さえ部８０の斜視図である。
【図８】ＭＦ押さえ部８０と固定筒３１との係合状態を示した図である。
【図９】固定筒３１の斜視図である。
【図１０】比較形態のレンズ鏡筒１の先端部の概略断面図である。
【発明を実施するための形態】
【０００６】
以下、図面等を参照して、本発明の実施形態の駆動部材を備えるレンズ鏡筒１について説明する。
（全体構成）
図１は、レンズ鏡筒１の断面図である。レンズ鏡筒１は、カメラ本体２に着脱可能である。レンズ鏡筒１は、焦点距離を連続的に変化させることのできるいわゆるズームレンズである。
レンズ鏡筒１は、第１レンズ群Ｌ１、第２レンズ群Ｌ２、第３レンズ群Ｌ３、第４レンズ群Ｌ４、第５レンズ群Ｌ５及び第６レンズ群Ｌ６の６つのレンズ群から成る撮影光学系を備えている。被写体からの光は、第１レンズ群Ｌ１〜第６レンズ群Ｌ６を経て、カメラ本体２側へ被写体光として入射する。
【０００７】
レンズ鏡筒１は、カメラ本体２に対して固定される固定筒３１を備える。固定筒３１は、レンズ鏡筒１の基礎となる円筒状の部材であり、直進溝３５が形成されている。固定筒３１については後に説明する。
固定筒３１のカメラボディ側の外周は外固定筒３３に固定され、外固定筒３３の光軸方向カメラボディ側に、レンズ鏡筒１をカメラ本体２に接続するマウント部３２が外固定筒３３と一体に設けられている。
また、レンズ鏡筒１は、マウント部３２の内側に基板が取り付けられ、基板には、レンズ鏡筒１を統括制御する制御部３４が設けられている。
【０００８】
レンズ鏡筒１は、固定筒３１の外周側に配置されたズーム環５０を備える。ズーム環５０は、固定筒３１の外周側に配置される円筒部材であり、固定筒３１に対して回転可能であって、複数のカム溝５１が設けられ、固定筒３１に対して光軸方向に移動不可能に設けられている。
【０００９】
また、レンズ鏡筒１は、ズーム環５０の内周側に移動筒６０を備える。移動筒６０については後述する。移動筒６０の内側には、第１レンズ保持枠４１、第２レンズ保持枠４２、第３レンズ保持枠４３、第４レンズ保持枠４４、第５レンズ保持枠４５、第６レンズ保持枠４６が配置されている。
【００１０】
第１レンズ群Ｌ１は、第１レンズ保持枠４１に保持されている。第１レンズ保持枠４１は、略円筒状の枠であり、移動筒６０の先端に取り付けられている。
第２レンズ群Ｌ２は、第２レンズ保持枠４２に保持されている。第２レンズ保持枠４２は、第２レンズ群Ｌ２を保持する略円筒状の枠であり、第１レンズ保持枠４１の光軸方向カメラボディ側に配置される。
【００１１】
第２レンズ群Ｌ２の光軸方向被写体側には、絞りユニット４７が配置されている。
第３レンズ保持枠４３は、第３レンズ群Ｌ３を保持する。
第４レンズ保持枠４４は、第４レンズ群Ｌ４を保持する略円筒状の枠であり、第３レンズ群Ｌ３の光軸方向カメラボディ側に配置される。
第４レンズ保持枠４４の光軸方向カメラボディ側には第５レンズ群Ｌ５を保持する第５レンズ保持枠４５が配置されている。
第６レンズ保持枠４６は、第５レンズ保持枠４５の光軸方向カメラボディ側に配置されている。
【００１２】
（第５レンズ保持枠４５）
図２は、レンズ鏡筒１の要部の分解斜視図である。
図１及び図２に示すように、第５レンズ保持枠４５の外周には、径方向に突出した５群カムフォロア４５ａが一体成形されている。５群カムフォロア４５ａは周方向の略均等な３か所に配置されている。
５群カムフォロア４５ａは、固定筒３１に設けられた直進溝３５を貫通し、ズーム環５０に設けられたカム溝５１と係合している。
第５レンズ保持枠４５は、ズーム環５０を回転すると、カム溝５１及び直進溝３５と５群カムフォロア４５ａとの係合により、直進移動する。
【００１３】
（移動筒６０）
移動筒６０は、筒状部６２と、その外周に設けられ、径方向に突出した移動筒カムフォロア６１とを備える。筒状部６２と移動筒カムフォロア６１とは、一体形成されている。移動筒カムフォロア６１は、周方向の略均等な３か所に配置されている。
移動筒カムフォロア６１は、固定筒３１に設けられた直進溝３５を貫通し、ズーム環５０に設けられたカム溝５１と係合している。
移動筒６０は、ズーム環５０を回転すると、カム溝５１及び直進溝３５と移動筒カムフォロア６１との係合により、直進移動する。
【００１４】
（固定筒３１）
固定筒３１には、光軸ＯＡ方向に沿って延びる上述の直進溝３５が形成されている。直進溝３５は、周方向の略均等な３か所に配置されている。
また、固定筒３１の前端部は径方向の外側に張り出したフランジ部３６が形成されている。
図３は、固定筒３１のフランジ部３６と、５群カムフォロア４５ａとの関係を示す図であり、図４は固定筒３１のフランジ部３６と、移動筒カムフォロア６１との関係を示す図である。
【００１５】
フランジ部３６には、５群カムフォロア４５ａ及び移動筒カムフォロア６１が貫通可能な高さ（径方向の長さ）を有する切欠き部３７が形成されている。切欠き部３７は、固定筒３１の直進溝３５に連続している。
即ち、直進溝３５は、固定筒３１の前端部まで延びて固定筒３１のフランジ部３６を貫通している。しかし、フランジ部３６における直進溝３５の外径側は周方向に連結されている。このため、固定筒３１の前端部は周方向に切断されておらず、固定筒３１の強度は保たれている。
【００１６】
（ＭＦ環７０）
レンズ鏡筒１は、更に、ズーム環５０及び固定筒３１の被写体側端部の外周側に、ＭＦ（マニュアルフォーカス）環７０を備える。図５は、レンズ鏡筒１のＭＦ環７０部分の拡大図である。図６は、レンズ鏡筒１のＭＦ環７０部分の拡大図であって、後述のＭＦ環押さえ部８０が取り付けられていない状態を示す。
【００１７】
ＭＦ環７０は円環部材で、外周側に光軸方向に延びる操作部７１と、その操作部７１から内周側に延びる延在部７２と、延在部７２の内径側端部から、光軸方向カメラボディ側に延びる遮光部７３とを備える。
図１及び図６に示すように遮光部７３は、周方向に一定の間隔で突部が形成された櫛歯状で、延在部７２から光軸に沿って固定筒３１側（光軸方向カメラボディ側）に延びている。
【００１８】
（ＰＩ９０）
固定筒３１のフランジ部３６の被写体側における、直進溝３５が貫通している部分と異なる部分には、２つのフォトインタラプタ（ＰＩ）９０が取り付けられている。ＰＩ９０からＦＰＣ（図示せず）が固定筒３１に沿って延び、基板に接続されている。
【００１９】
２つのＰＩ９０は、それぞれ、光軸と平行に延在して配置された発光部９１と受光部９２とが、径方向で互いに対向して配置されている。すなわち、ＭＦ環７０の遮光部７３は、光軸方向被写体側の開口から発光部９１と受光部９２との間の隙間９３内に挿入されている。
ＭＦ環７０が回転すると、遮光部７３も回転移動しＰＩ９０の発光部９１と受光部９２との間を通過する。このとき、遮光部７３がＰＩ９０の発光部９１から出射されて受光部９２に入射する光を遮ることにより、ＰＩ９０の検出信号に変化を生じさせる。この検出信号は、ＦＰＣを介し制御部３４に送信される。
制御部３４は、この検出信号を基にＭＦ環７０の回転（回転量、回転方向、回転速度）を検出する。制御部３４は、検出した回転に基づいて第３レンズ群内のフォーカスレンズを駆動する。
【００２０】
（ＭＦ押さえ部８０）
ＭＦ環７０の前にはＭＦ押さえ部８０が配置されている。図７はＭＦ押さえ部８０の斜視図である。図８は、ＭＦ押さえ部８０と固定筒３１との係合状態を示した図である。図９は、固定筒３１の斜視図である。ＭＦ押さえ部８０は、ＭＦ環７０を固定筒３１に対して回転可能に押さえる部材である。
ＭＦ押さえ部８０は円環部材で、光軸方向カメラボディ側に延びる係合部８１が設けられている。係合部８１は周方向に略均等に３か所配置されている。
係合部８１は、それぞれが、第１係合部８２と第２係合部８３とを有する。第１係合部８２と第２係合部８３は、同形であるが、互いに逆向きに配置されている。第１係合部８２と第２係合部８３の先端部には周方向に突出した爪部８２ａ，８３ａが設けられている。その爪部８２ａ，８３ａは、互いに対して逆向きの方向に突出している。
【００２１】
一方、固定筒３１の側面には、図９に示すように、ＭＦ押さえ部８０が挿通する孔３６ａが設けられている。
固定筒３１の外表面には、その孔３６ａから連続する凹部３８が設けられている。凹部３８は、孔３６ａの周方向の幅と同じ幅で孔３６ａから連続する直進溝状の第１部分３８ａと、その直進状の部分の先端から、周方向に幅が広くなった第２部分３８ｂとを有する、Ｔ字型に形成されている。
３６ａの周方向の幅は、図７のような力が加わっていない状態での、爪部８２ａ，８３ａの周方向の先端部間の幅より小さい。ＭＦ押さえ部８０を、ＭＦ環７０を挟んで固定筒３１に装着する際、係合部８１の爪部８２ａ，８３ａは互いに近接する方向に弾性変形されて、３６ａを挿通可能となる。
３６ａを挿通すると、爪部８２ａ，８３ａは、弾性変形したまま凹部３８の第１部分３８ａに沿って移動する。第２の部分８３ｂにおいて、その第２の部分８３ｂの周方向の幅は、第１の部分３８ａより広いので、爪部８２ａ，８３ａの弾性変形が元に戻り、互いの距離が広がって、凹部３８の第２の部分と爪部８２ａ，８３ａ（係合部８１）とが係合される。
このようにしてＭＦ押さえ部８０は固定筒３１に固定されるので、その間に位置するＭＦ環７０は光軸方向に移動不能に固定筒３１に対して保持される。
【００２２】
（比較形態）
本実施形態の効果について説明する前に、比較形態について説明する。図１０は比較形態のレンズ鏡筒１の先端部の概略断面図である。
比較形態は、ＭＦ環７０の遮光部７３’が、径方向に延びている。
そして、ＰＩ９０’は固定筒３１’の先端において、発光部９１’と受光部９２’とが径方向と平行になるように配置され、すなわち、発光部９１’と受光部９２’との間の隙間９３’は、周方向に開口している。
【００２３】
比較形態でレンズ鏡筒１を組み立てる場合、固定筒３１’の先端にＭＦ環７０’を取り付ける。そして、ＭＦ環７０’の遮光部７３’が、発光部９１と受光部９２との間の隙間９３に配置されるようにして、ＰＩ９０’を固定筒３１’の先端に取り付ける。
そして、ＰＩ９０’から制御部まで延びるＦＰＣを固定筒３１’に貼着し、その後、固定筒３１’の先端から移動筒６０’を挿入する。
【００２４】
ここで、移動筒６０’の移動筒カムフォロア６１’が移動筒６０’と一体成形されていると、移動筒６０’を固定筒３１’に挿入する際に、ＭＦ環７０’の遮光部７３’が光軸方向に延びているため、遮光部７３’が障害となって移動筒カムフォロア６１’が一体成形された移動筒６０’を光軸方向に挿入することができない。
【００２５】
このため、移動筒カムフォロア６１’は、移動筒６０’と別体にする必要がある。そして、固定筒３１’の内部に、移動筒カムフォロア６１’が形成されていない移動筒６０’を挿入し、その後、固定筒３１’の直進溝３５’の外周側から、移動筒カムフォロア６１’を移動筒６０’に取り付ける。
このように、比較形態では、移動筒６０’と移動筒カムフォロア６１’とは一体成形することができないため、製造コストがかかり、且つ強度的にも弱くなる。
【００２６】
（本実施形態）
しかし、本実施形態は、レンズ鏡筒１を組み立てる場合、固定筒３１のフランジ部３６の被写体側に、発光部９１と受光部９２との間の隙間が、光軸方向被写体側に開口するようにして、ＰＩ９０を貼着する。そして、ＰＩ９０からのＦＰＣを制御部まで延ばす。
【００２７】
次いで、第５レンズ保持枠４５と移動筒６０を、固定筒３１に挿入する。
実施形態において、第５レンズ保持枠４５と５群カムフォロア４５ａ、移動筒６０と移動筒カムフォロア６１とは、それぞれ一体成形されている。
しかし、ＭＦ環７０が固定筒３１に取り付けられていないので、５群カムフォロア４５ａと移動筒カムフォロア６１とは、固定筒３１のフランジ部３６の切欠き部３７より固定筒３１を挿通することができる。
【００２８】
その後、ＭＦ環７０を固定筒３１の先端に取り付ける。その際、ＭＦ環７０の遮光部７３がＰＩ９０の隙間に入るようにする。
ＭＦ押さえ部８０を、ＭＦ環７０の被写体側より、固定筒３１に差し込む。この際、係合部８１は固定筒３１の孔より、固定筒３１の凹部３８に挿入される。係合部８１の爪部８２ａ，８３ａは互いに近接する方向に弾性変形されて、孔を挿通する。そして、爪部８２ａ，８３ａは、弾性変形したまま凹部３８の第１の部分３８ａに沿って移動する。第２の部分３８ｂにおいて、爪部８２ａ，８３ａの互いの距離が広がって、凹部３８の第２の部分３８ｂと爪部８２ａ，８３ａ（係合部８１）とが係合される。
【００２９】
このようにしてＭＦ押さえ部８０は固定筒３１に固定されるので、その間に位置するＭＦ環７０は光軸方向に移動不能に固定筒３１に対して保持される。
ＭＦ押さえ部８０のＭＦ環７０を押さえる構造は、径方向の幅の狭い係合部８１と、固定筒３１の周面に設けられた凹部３８とにより構成されている。したがって、押さえ構造は、径方向の厚みを増加することがなく、組込みも簡単である。
【００３０】
以上、本実施形態によると、比較形態と異なり、ＰＩ９０の発光部９１と受光部９２との間の隙間９３は光軸方向被写体側に開口している。ＭＦ環７０の遮光部７３は、軸方向カメラボディ側に延び、その隙間に配置される。
この構成によると、ＭＦ環７０は、ＰＩ９０を取り付けた後で、固定筒３１に取り付けることができる。
【００３１】
このため、移動筒６０は、ＭＦ環７０が取り付けられていな状態で、固定筒３１の内部に挿入することができるので、ＭＦ環７０の遮光部７３が、移動筒６０の固定筒３１内への配置の際に支障になることがない。
したがって、移動筒６０と、移動筒カムフォロア６１とを一体成形することができ、製造コストが安価になり、移動筒カムフォロア６１の強度も向上する。
【００３２】
以上、説明した実施形態は、以下に示すような種々の変形や変更が可能である。
例えば、本実施形態では、ＭＦ環の回転を検出するＰＩを固定筒に取り付ける例について説明したが、これに限定されず、例えば絞りと、その回転を検出するＰＩの配置に適用しても良い。
【符号の説明】
【００３３】
１：レンズ鏡筒、３１：固定筒、３２：マウント部、３３：外固定筒、３４：制御部、３５：直進溝、３６：フランジ部、３６ａ：孔、３７：切欠き部、３８：凹部、３８ａ：第１部分、３８ｂ：第２部分、５０：ズーム環、５１：カム溝、６０：移動筒、６１：移動筒カムフォロア、６２：筒状部、７０：ＭＦ環、７１：操作部、７２：延在部、７３：遮光部、８０：ＭＦ環押さえ部、８１：係合部、８２：第１係合部、８２ａ：爪部、８３：第２係合部、８３ａ：爪部、８３ｂ：第２の部分、９０：位置検出部、９１：発光部、９２：受光部、９３：隙間
【図１】
0006750222.tif 000002
【図２】
0006750222.tif 000003
【図３】
0006750222.tif 000004
【図４】
0006750222.tif 000005
【図５】
0006750222.tif 000006
【図６】
0006750222.tif 000007
【図７】
0006750222.tif 000008
【図８】
0006750222.tif 000009
【図９】
0006750222.tif 000010
【図１０】
0006750222.tif 000011